(57)【要約】【課題】手摺を取り付ける際の作業性を向上させ得る手摺ブラケット及びこれを備えた手摺装置を提供する。【解決手段】丸棒状の手摺１０が載置される手摺固定部１５に、該手摺の外周面に設けられた凹所１１に嵌め入れられる位置決め凸部１８を設けた手摺ブラケット１２であって、前記位置決め凸部は、当該位置決め凸部の突出方向と、前記手摺固定部を介して前記手摺に止着される止具５の止着方向と、が９０度以上の角度で交差するように設けられている。【選択図】図１
2016211290.tif 000002
【特許請求の範囲】
【請求項１】
丸棒状の手摺が載置される手摺固定部に、該手摺の外周面に設けられた凹所に嵌め入れられる位置決め凸部を設けた手摺ブラケットであって、
前記位置決め凸部は、当該位置決め凸部の突出方向と、前記手摺固定部を介して前記手摺に止着される止具の止着方向と、が９０度以上の角度で交差するように設けられていることを特徴とする手摺ブラケット。
【請求項２】
請求項１において、
壁面に固定される壁面固定部を備えており、
前記位置決め凸部は、前記手摺の外周面に沿うように形成された前記手摺固定部の壁面側部位に設けられていることを特徴とする手摺ブラケット。
【請求項３】
請求項１または２に記載の手摺ブラケットと、
前記位置決め凸部が嵌め入れられる凹所が外周面に設けられた丸棒状の手摺と、
を備えていることを特徴とする手摺装置。
【発明の詳細な説明】
【技術分野】
【０００１】
本発明は、手摺ブラケット及びこれを備えた手摺装置に関する。
【背景技術】
【０００２】
従来より、棒状の手摺を壁等の取付対象に取り付ける手摺ブラケットが知られている。
例えば、下記特許文献１には、手摺り棒を受ける手摺り棒取付け部に、ねじ等の固着具が挿入される固着具挿入孔と、手摺り棒の外面に設けられた位置決め用凹部に嵌め込まれる位置決め凸部と、を設けた手摺りブラケットが開示されている。
【先行技術文献】
【特許文献】
【０００３】
【特許文献１】特開２００７−８５１０９号公報
【発明の概要】
【発明が解決しようとする課題】
【０００４】
しかしながら、上記特許文献１に記載された手摺りブラケットは、位置決め凸部の突出方向と下方側から手摺り棒に捩じ込まれる固着具の捩じ込み方向とが概ね同様な方向とされている。そのため、固着具を捩じ込む際に、手摺り棒が手摺り棒取付け部から浮かないように、捩じ込み方向の反対側となる上側から手摺り棒を比較的に強く押え付ける必要があった。
【０００５】
本発明は、上記実情に鑑みてなされたものであり、手摺を取り付ける際の作業性を向上させ得る手摺ブラケット及びこれを備えた手摺装置を提供することを目的としている。
【課題を解決するための手段】
【０００６】
上記目的を達成するために、本発明に係る手摺ブラケットは、丸棒状の手摺が載置される手摺固定部に、該手摺の外周面に設けられた凹所に嵌め入れられる位置決め凸部を設けた手摺ブラケットであって、前記位置決め凸部は、当該位置決め凸部の突出方向と、前記手摺固定部を介して前記手摺に止着される止具の止着方向と、が９０度以上の角度で交差するように設けられていることを特徴とする。
【０００７】
また、上記目的を達成するために、本発明に係る手摺装置は、本発明に係る手摺ブラケットと、前記位置決め凸部が嵌め入れられる凹所が外周面に設けられた丸棒状の手摺と、を備えていることを特徴とする。
【発明の効果】
【０００８】
本発明に係る手摺ブラケット及びこれを備えた手摺装置は、上述のような構成としたことで、手摺を取り付ける際の作業性を向上させることができる。
【図面の簡単な説明】
【０００９】
【図１】本発明の一実施形態に係る手摺ブラケット及びこれを備えた手摺装置の一例を模式的に示す概略縦断面図である。
【図２】図１に対応させた概略分解縦断面図である。
【発明を実施するための形態】
【００１０】
以下に本発明の実施の形態について、図面に基づいて説明する。
図１及び図２は、本実施形態に係る手摺ブラケット及びこれを備えた手摺装置の一例を模式的に示す図である。
なお、以下の実施形態では、設置対象面としての壁面に固定された手摺ブラケットに手摺を取り付けた状態を基準として上下方向等の方向を説明する。
【００１１】
本実施形態に係る手摺装置１は、図１に示すように、丸棒状の手摺１０と、この手摺１０が載置される手摺固定部１５に、この手摺１０の外周面に設けられた凹所１１に嵌め入れられる位置決め凸部１８を設けた手摺ブラケット１２と、を備えている。また、手摺ブラケット１２の位置決め凸部１８は、当該位置決め凸部１８の突出方向と、手摺固定部１５を介して手摺１０に止着されるねじや釘等の止具５の止着方向と、が９０度以上の角度で交差するように設けられている。また、手摺装置１は、手摺１０の長手方向に間隔を空けて配される複数の手摺ブラケット１２を備えている。
【００１２】
手摺１０は、図２に示すように、長手方向に見て略真円形状とされている。この手摺１０の直径（外径）は、握り易さ等の観点から、例えば、２０ｍｍ〜５０ｍｍ程度としてもよく、好ましくは、３０ｍｍ〜４０ｍｍ程度としてもよい。
また、この手摺１０は、長手方向を歩行方向に沿わせるように、複数の手摺ブラケット１２を介して設置対象面としての壁面２に固定される。例えば、手摺１０を、階段の勾配に応じて傾斜状となる歩行方向に長手方向を沿わせるように複数の手摺ブラケット１２を介して壁面２に取り付けるようにしてもよく、廊下等の壁面２に水平方向に長手方向を沿わせるように取り付けるようにしてもよい。
【００１３】
凹所１１は、手摺１０の外周面において開口するように設けられている。本実施形態では、凹所１１を、手摺１０の長手方向に見て略矩形状としている。また、凹所１１を、手摺１０の全長に亘って凹溝状に設けた構成としている。また、凹所１１の開口方向を、手摺１０の径方向とは異なる方向としている。つまり、凹所１１を、凹所１１の開口方向に沿う仮想線が手摺１０の軸心を通らないように設けた例を示している。図例では、当該手摺装置１を施工した状態で、凹所１１の開口方向に沿う仮想線が手摺１０の軸心よりも下方側を通るように凹所１１を設けた例を示している。また、当該手摺装置１を施工した状態で、凹所１１の開口方向が水平方向に沿う方向となるように凹所１１を設けた例を示している。
なお、この凹所１１は、手摺１０に全長に亘って設けられたものに限られず、手摺１０の長手方向に沿って間隔を空けて複数箇所に設けられたものとしてもよい。
【００１４】
また、手摺１０は、木質系材料や合成樹脂系材料、金属系材料等から形成されたものとしてもよい。また、図例では、手摺１０を中実状とした例を示しているが、略円筒形状とされたものとしてもよい。
また、手摺１０の外周面に、合成樹脂製化粧シートや、天然銘木を薄くスライスした突板等の化粧シートを貼着するようにしてもよい。この場合は、手摺１０の周方向に単一の化粧シートを、その幅方向両端部を凹溝状に設けられた凹所１１内に納めるように貼着するようにしてもよい。また、このような化粧シートを貼着せずに、手摺１０を、天然銘木の無垢材から形成されたものとしてもよく、また、手摺１０の外周面に塗装等の表面化粧処理が施されたものとしてもよい。
【００１５】
手摺ブラケット１２は、手摺１０の長手方向途中部位に固定される構成とされ、壁面２に固定される壁面固定部１３を備えている。なお、手摺装置１を、手摺１０の長手方向両端部を覆うエンドキャップやエンドブラケット等を更に備えた構成としてもよい。
また、手摺ブラケット１２は、一端側の壁面固定部１３と他端側の手摺固定部１５とを連結するような連結部１４を有し、この連結部１４を、反壁面側の斜め下方側に向けて開口する中空部が設けられた中空状としている。また、手摺ブラケット１２に、この連結部１４の開口を覆うカバー１９を設けた構成としている。このカバー１９は、連結部１４の開口に嵌め込まれるように取り付けられる構成とされている。
【００１６】
壁面固定部１３は、厚さ方向を壁面２に直交する方向（壁面２の法線方向、壁面直交方向）に沿わせたような板状とされ、壁面２側に向き壁面２に当接される当接面を有している。この壁面固定部１３には、手摺ブラケット１２を壁面２に固定するための止具３，４が挿通される挿通孔１３ａ，１３ｂが設けられている。図例では、複数の挿通孔１３ａ，１３ｂを設けた例を示している。これら挿通孔１３ａ，１３ｂは、壁面直交方向に貫通するように壁面固定部１３に設けられている。また、これら挿通孔１３ａ，１３ｂは、手摺ブラケット１２の中空部の開口を介して止具３，４を挿通可能なように壁面固定部１３に設けられている。図例では、これら複数の挿通孔１３ａ，１３ｂのうちの一つの挿通孔１３ａを、手摺ブラケット１２を取外可能に仮保持する仮保持部材の取付孔１３ａとした例を示している。このような仮保持部材としては、止具３によって壁面２に対して固定され、止具３の軸廻りに回転されて壁面固定部１３に係合し手摺ブラケット１２を保持する状態と係合解除状態とに切り替えられる構成とされたもの等としてもよい。なお、このような仮保持部材を設けずに止具３，４によって手摺ブラケット１２を壁面２に対して固定する態様としてもよい。
【００１７】
手摺固定部１５は、厚さ方向を概ね上下方向（手摺長手方向及び壁面２に直交する方向）に沿わせたような概ね板状とされ、手摺１０側（上方側）に向き、手摺１０が載置される載置面を有している。つまり、この手摺固定部１５と壁面固定部１３とは略直交状に設けられている。この手摺固定部１５は、手摺１０の外周面に沿うように形成されている。本実施形態では、この手摺固定部１５の手摺１０側部位を、手摺１０の外周面に対応させた凹湾曲面形状としている。
【００１８】
また、本実施形態では、この手摺固定部１５に、手摺１０を固定する止具５が挿通される挿通孔１５ａを設けている。この挿通孔１５ａは、手摺ブラケット１２の中空部の開口を介して止具５を挿通可能なように手摺固定部１５に設けられている。また、この挿通孔１５ａは、手摺１０の軸心方向に沿う方向に貫通するように手摺固定部１５に設けられている。図例では、この挿通孔１５ａを、手摺固定部１５における手摺１０の外周面の下端が当接される部位を貫通するように設けた例を示している。また、この挿通孔１５ａを、手摺固定部１５を上下方向に貫通するように設けた例を示している。つまり、本実施形態では、止具５の止着方向（軸方向）を、上下方向（真上方向）としている。また、図例では、手摺固定部１５の中空部側に向く面を、挿通孔１５ａの貫通方向に直交するような下向き平坦面とした例を示している。なお、手摺固定部１５に、複数の挿通孔１５ａを設けるようにしてもよい。例えば、手摺１０の長手方向に沿う方向に間隔を空けて複数の挿通孔１５ａを設けたり、手摺１０の周方向に沿う方向に間隔を空けて複数の挿通孔１５ａを設けたりしてもよい。
【００１９】
この手摺固定部１５の手摺１０の周方向に沿う寸法は、手摺１０を安定的に保持する観点や見栄え上の観点等から適宜の寸法としてもよく、手摺１０の外周面の下側半部の一部を覆うような寸法としてもよい。本実施形態では、手摺１０の外周面の下端が当接される部位よりも反壁面側となる反壁面側部位１６の手摺１０の周方向に沿う寸法を、手摺１０の外周面の下端が当接される部位よりも壁面２側となる壁面側部位１７の手摺１０の周方向に沿う寸法よりも小としている。つまり、手摺固定部１５は、当該手摺ブラケット１２を壁面２に固定した状態では、反壁面側部位１６の上端部よりも壁面側部位１７の上端部が上方側に位置するように設けられている。図例では、反壁面側部位１６の手摺１０の周方向に沿う寸法を、手摺１０の長手方向に見て、手摺１０の外周面の１／７程度を覆うような寸法とし、壁面側部位１７の手摺１０の周方向に沿う寸法の２／３程度の寸法とした例を示している。
【００２０】
位置決め凸部１８は、手摺１０の凹所１１に挿入可能な形状とされている。本実施形態では、この位置決め凸部１８を、手摺１０の長手方向に沿う方向に見て略矩形状とし、手摺１０の凹所１１に嵌込可能な寸法としている。また、位置決め凸部１８を、手摺固定部１５の壁面側部位１７に設けた構成としている。また、この位置決め凸部１８を、壁面側部位１７の上端部に設けた例を示している。
また、この位置決め凸部１８は、手摺１０の長手方向に沿う方向に見て、当該位置決め凸部１８の突出方向に沿う仮想線と上記のように真上方向とされた止具５の止着方向に沿う仮想線とのなす角（劣角側のなす角）θが９０度以上となるように設けられている。この所定のなす角θは、止具５の止着性や、手摺１０の凹所１１への嵌込性、壁面側部位１７の手摺１０の周方向に沿う方向の寸法等に応じて適宜の角度としてもよい。この所定のなす角θを、９０度〜１８０度としてもよく、好ましくは、９０度〜１４０度程度としてもよく、より好ましくは、９０度〜１２０度程度としてもよい。
【００２１】
本実施形態では、所定のなす角θを、９０度としている。つまり、位置決め凸部１８の突出方向を、上記のように真上方向とされた止具５の止着方向に直交する方向となる水平方向としている。つまり、この位置決め凸部１８を、壁面側部位１７から反壁面側に向けて壁面直交方向に突出するように設けた構成としている。
また、手摺１０の外周面における止具５が止着される部位から位置決め凸部１８（つまりは、凹所１１）までの手摺１０の周方向に沿う方向の寸法は、手摺１０の位置決め性等の観点から適宜の寸法としてもよい。この寸法を、手摺１０の外周（円周）の１／１０〜１／２程度としてもよく、好ましくは、１／８〜３／８程度としてもよく、より好ましくは、１／６〜１／３程度としてもよく、図例では、１／５程度とした例を示している。
なお、位置決め凸部１８の突出寸法は、手摺１０の位置決め性等の観点から適宜の寸法としてもよい。
また、手摺ブラケット１２は、手摺１０の取付強度等の観点から、金属製としてもよく、例えば、鋳造成形等されたものとしてもよい。
【００２２】
上記構成とされた手摺１０を、止具５を用いて手摺ブラケット１２に固定する際には、例えば、以下のようにしてもよい。
まず、手摺１０の凹所１１に、手摺ブラケット１２の手摺固定部１５の位置決め凸部１８を嵌め込み、手摺ブラケット１２に対する手摺１０の周方向の位置決めを行う。
次いで、止具５を、手摺ブラケット１２の手摺固定部１５の挿通孔１５ａを介して下方側から真上方向に向けて手摺１０に捩じ込み、手摺１０を手摺ブラケット１２に固定するようにしてもよい。この際、手摺１０を下方に向けて押さえ付けるようにしてもよい。また、適宜、カバー１９を手摺ブラケット１２に取り付けるようにしてもよい。なお、手摺１０に止具５の下穴を適宜、設けておくようにしてもよい。
【００２３】
本実施形態に係る手摺ブラケット１２及びこれを備えた手摺装置１は、上述のような構成としたことで、手摺１０を取り付ける際の作業性を向上させることができる。
つまり、丸棒状の手摺１０が載置される手摺固定部１５に、手摺１０の外周面に設けられた凹所１１に嵌め入れられる位置決め凸部１８を設けた構成としている。従って、手摺ブラケット１２に対する手摺１０の周方向の位置決めを容易に行うことができる。
また、位置決め凸部１８を、この位置決め凸部１８の突出方向と、手摺固定部１５を介して手摺１０に止着される止具５の止着方向と、が９０度以上の角度で交差するように設けている。従って、位置決め凸部１８を手摺１０の凹所１１に嵌め入れて手摺１０を手摺固定部１５に載置した状態で止具５を止着する際に、手摺１０を手摺固定部１５から浮き難くすることができ、手摺１０を押え付ける力を軽減することができる。つまり、例えば、位置決め凸部の突出方向と止具の止着方向とを概ね同様な方向としたものと比べて、止具５を止着する際に、手摺１０の凹所１１に嵌め入れられた位置決め凸部１８が凹所１１から抜け難くなる。つまりは、位置決め凸部１８が引っ掛かり状の抵抗となり、手摺１０を押え付ける力を軽減することができる。
【００２４】
また、本実施形態では、位置決め凸部１８を、手摺１０の外周面に沿うように形成された手摺固定部１５の壁面側部位１７に設けている。従って、手摺１０を壁面２に沿わせるように取り付けた状態では、手摺１０の凹所１１が壁面２側に向けて開口することとなり、手摺１０の凹所１１を目立ち難くすることができる。また、位置決め凸部１８を設けるために、手摺１０の外周面に沿わせるように延出させた壁面側部位１７も壁面２側に位置するため、この壁面側部位１７を目立ち難くすることができる。換言すれば、見栄えを損なうことなく、位置決め凸部１８を設ける位置を止具５の挿通される部位から効果的に離間させることができる。なお、このような態様に代えて、位置決め凸部１８を、手摺固定部１５の反壁面側部位１６に設けてもよい。
【００２５】
また、本実施形態では、手摺１０の凹所１１の開口方向を、手摺１０の径方向とは異なる方向とした例を示しているが、手摺１０の径方向に沿う方向としてもよい。この場合は、位置決め凸部１８を設ける位置や、突出方向を適宜、変形するようにしてもよい。
また、本実施形態では、止具５の止着方向を、手摺１０の長手方向に見て、真上方向とした例を示しているが、このような態様に限られず、手摺１０の長手方向に見て、斜め上方としてもよい。また、手摺１０の周方向に沿って複数箇所に止具５が止着される場合には、手摺１０の長手方向に見て、少なくとも一つの止具５の止着方向と位置決め凸部１８の突出方向とが９０度以上の角度で交差する構成としてもよい。換言すれば、手摺１０の周方向に沿って複数箇所に止具５が止着される場合には、手摺１０の長手方向に見て、いずれかの止具５の止着方向と位置決め凸部１８の突出方向とが９０度未満の角度で交差するようなものとしてもよい。
また、本実施形態では、手摺ブラケット１２を、壁面２に固定されるものとした例を示しているが、このような態様に限られず、例えば、腰壁上端の笠木などの上面に取り付けられるものとしてもよい。この場合は、手摺ブラケット１２の形状を適宜、変形するようにしてもよい。
【符号の説明】
【００２６】
１    手摺装置
１０  手摺
１１  凹所
１２  手摺ブラケット
１３  壁面固定部
１５  手摺固定部
１７  壁面側部位
１８  位置決め凸部
２    壁面
５    止具
【図１】
2016211290.tif 000003
【図２】
2016211290.tif 000004